(57)【要約】【課題】  給水器において常時安定した水圧を維持することができ、仔豚を効率的に生育させることができる家畜用給餌器を提供する。【解決手段】  飼料ホッパー２から底皿１２内に飼料ａを落下、供給すると共に、給水パイプ１１を介して給水器１０から水を流出、供給する家畜用給餌器１において、畜舎内で多数の家畜用給餌器１，１，・・・に水を供給する配水パイプ４７と給水パイプ１１との間に水圧制御装置１４を配設する。水圧制御装置１４は、筐体３７内にフロート４０を配設した装置本体２８から成り、筐体３７内に貯留された水ｗの水位によってフロート４０が上下移動し、筐体３７内への水ｗの流入を制御する。さらに、水圧制御装置１４は、装置本体２８の上方部又は下方部に流量調整バルブ２９，３０を付設してもよい。【選択図】  図１
2008029306.tif 000002
【特許請求の範囲】
【請求項１】
飼料ホッパーから底皿内に飼料を落下、供給すると共に、給水パイプを介して給水器から水を流出、供給する家畜用給餌器において、畜舎内で多数の家畜用給餌器に水を供給する配水パイプと前記給水パイプとの間に水圧制御装置を配設したことを特徴とする家畜用給餌器。
【請求項２】
前記水圧制御装置は、筐体内にフロートを配設した装置本体から成り、筐体内に貯留された水の水位によってフロートが上下移動し、筐体内への水の流入を制御するものであることを特徴とする請求項１に記載の家畜用給餌器。
【請求項３】
さらに、前記水圧制御装置は、前記装置本体の上方部又は下方部に流量調整バルブを付設したことを特徴とする請求項２に記載の家畜用給餌器。
【発明の詳細な説明】
【技術分野】
【０００１】
本発明は、仔豚等の家畜に餌を与えるための家畜用給餌器に関する。
【背景技術】
【０００２】
従来、この種の家畜用給餌器として、図１０に示すように、飼料ホッパー１０２、吊下部材１０３、作動部材１０４、攪拌部材１０５、底皿１０６等から構成される家畜用給餌器１０１が知られている（例えば、特許文献１参照。）。
この家畜用給餌器１０１は、仔豚が鼻又は口で作動部材１０４を押圧し、攪拌部材１０５を揺動することによって、飼料ホッパー１０２内の飼料ａを攪拌し、下端の排出口から底皿１０６へと飼料aを円滑に落下、供給するようになっている。
【０００３】
又、上記家畜用給餌器１０１には、飼料ホッパー１０２の上端部に支持部材１０７を配設し、この支持部材１０７の中央部に吊下部材１０３の上端部を連結すると共に、一端部に餌量調整機構１０８を配設してある。
そして、餌量調整機構１０８により支持部材１０７を回動させ、吊下部材１０３を適宜上下移動することによって、飼料ホッパー１０２下端の排出口の開口面積を調整し、底皿１０６へ落下、供給する飼料aの量を調整できるようになっている。
【０００４】
又、上記家畜用給餌器１０１には、飼料ホッパー１０２の下端部外周に円環状の給水タンク１０９を配設し、この給水タンク１０９の周面に適宜間隔で給水器１１０を配置すると共に、上面に給水パイプ１１１の下端を連結してある。
そして、仔豚が給水器１１０を口に銜えて、その作用杆１１０ａを揺動することによって、給水タンク１０９内に貯留された水を飲むことができるようになっている。
【０００５】
さらに、上記家畜用給餌器１０１には、その上端を前記給水タンク１０９の周面に固着させ、その下端を前記底皿１０６の周面に固着させた湾曲状の仕切棒１１２を適宜間隔で配設してある。
そして、仔豚はこの仕切棒１１２で区画された空間内に頭部を突っ込んで、互いに争うことなく、食餌又は飲水できるようになっている。
【０００６】
【特許文献１】登録実用新案第３０１９０３７号公報
【発明の開示】
【発明が解決しようとする課題】
【０００７】
上記従来の家畜用給餌器１０１では、飼料ホッパー１０２内の飼料ａは、下端の排出口から底皿１０６へ落下させて食餌するのに対して、給水タンク１０９内の水は、給水器１１０から流出させ直接飲水するようになっていた。
このように、飼料ａと水とは別々に摂取されるようになっていたため、仔豚が頭部を上下左右に揺動することによって、底皿１０６内に堆積した飼料ａが粉粒状となって舞い上がり、これを吸い込む仔豚に呼吸器系疾患が多発する要因となっていた。
【０００８】
又、従来の家畜用給餌器１０１では、給水パイプ１１１の上端部に管径の大きい配水パイプ（図示しない）の分岐部を直接連結し、この配水パイプの基端部を畜舎全体に水を供給する給水栓（図示しない）に接続していた。
そして、畜舎内に配設した多数の家畜用給餌器１０１，１０１，・・・に水を供給するために、配水パイプ内には高い水圧を付与してあり、これによって、給水器１１０においても高い水圧が付与されることになった。
【０００９】
このように、給水器１１０において高い水圧が付与されているため、仔豚が給水器１１０を口に銜え、作用杆１１０ａを揺動すると、給水器１１０の排出口から勢い良く水が流出し、底皿１０６の外部に水が飛び散って、周囲を不衛生にした。
又、底皿１０６内に堆積した飼料ａは、大分は乾燥状態である一方、一部は湿潤状態であって、仔豚の嗜好に合わない状態であったため、底皿１０６内にそのまま残存し、腐敗等して、無駄に消費されることも多かった。
【００１０】
又、給水器１１０において高い水圧が付与されているため、給水器１１０の排出口から多量の水が流出しないように、給水器１１０内を貫通する通水孔の口径を１．２ｍｍ程度と小さくしなければならなかった。
そのため、口径の小さい通水孔に砂、ゴミ等が付着して目詰まりが発生し、給水器１１０の排出口から水が流出しなくなるという不具合も頻発していた。
【００１１】
さらに、給水パイプ１１１の上端部に配水パイプの分岐部を直接連結してあるため、各家畜用給餌器１０１，１０１，・・・の配設位置によって個別的に、畜舎全体の使用水量が変動することによって経時的に、各給水パイプ１１１内の水圧が変動して、各給水器１１０において常時安定した水圧を維持することはできなかった。
そのため、給水器１０１から流出される水、又、底皿１０６内に供給される飼料ａも、常時同様な状態に維持することができず、仔豚を効率的に生育させることができない場合も生じた。
【００１２】
本発明は、かかる従来の問題点に鑑みて為されたものであって、その目的とするところは、仔豚に呼吸器系疾患を発症させることなく、底皿の外部に水が飛び散って、周囲を不衛生にすることなく、飼料を無駄に消費することもなく、給水器から水が流出しなくなる不具合も発生せず、給水器において常時安定した水圧を維持することができ、仔豚を効率的に生育させることができる家畜用給餌器を提供することにある。
【課題を解決するための手段】
【００１３】
上記目的を達成するために、本発明は、飼料ホッパーから底皿内に飼料を落下、供給すると共に、給水パイプを介して給水器から水を流出、供給する家畜用給餌器において、畜舎内で多数の家畜用給餌器に水を配給する配水パイプと前記給水パイプとの間に水圧制御装置を配設したことを特徴とする。
【００１４】
ここで、前記水圧制御装置は、筐体内にフロートを配設した装置本体から成り、筐体内に貯留された水の水位によってフロートが上下移動し、筐体内への水の流入を制御するものであることを特徴とする。
【００１５】
かかる構成によれば、配水パイプ内の高い水圧は給水器において低減され、給水器における水圧は、水圧制御装置から給水器までの高低差によって決定され、常時安定した水圧を維持することができるから、仔豚が飲水する時に底皿の外部に水が飛び散って、周囲を不衛生にしたり、仔豚の嗜好に合わない状態で飼料が底皿内に残存し、腐敗等して、無駄に消費されることもない。
【００１６】
又、給水器において水圧が低減されるから、給水器内を貫通する通水孔の口径を大きくすることができ、通水孔に砂、ゴミ等が付着して目詰まりが発生し、給水器の排出口から水が流出しなくなる不具合も発生しなくなる。
【００１７】
又、各家畜用給餌器の配設位置によって個別的に、畜舎全体の使用水量が変動することによって経時的に、各給水パイプ内の水圧が変動することがなく、各給水器において常時安定した水圧を維持することができるから、底皿内において飼料を水と適度に混合させた粥状の液体混合飼料とすることができ、仔豚の嗜好に合わせた状態にできるため、仔豚を効率的に生育させることができる。
【００１８】
さらに、底皿内において飼料を水と適度に混合させた液体混合飼料とすることができ、飼料と水とを同時に摂取することができるため、底皿内に堆積した飼料が粉粒状となって舞い上がることはなく、仔豚に呼吸器系疾患を発症させることもない。
【００１９】
又、前記水圧制御装置は、前記装置本体の上方部又は下方部に流量調整バルブを付設してもよい。
【００２０】
かかる構成にすれば、流量調整バルブを操作することによって、給水器に供給される水の流量を適宜調整できるから、畜舎全体の使用水量に対応させて、又、仔豚の生育状況に対応させて、水の供給量を適宜変更させることができる。
【発明を実施するための最良の形態】
【００２１】
以下、本発明の家畜用給餌器の好適な実施形態について、図面を参照しつつ詳細に説明する。
【００２２】
本発明の家畜用給餌器１は、図１乃至９に示すように、飼料ホッパー２、案内筒体３、吊下部材４，５、作動部材６、ブリッジ防止部材７、支持部材８、餌量調整機構９、給水器１０、給水パイプ１１、底皿１２、仕切板１３、水圧制御装置１４、支持板１５等から構成される。
【００２３】
飼料ホッパー２は、図１及び２に示すように、上半部を円筒状、下半部を逆円錐状に成形し、上面に飼料投入口を形成し、下端を飼料排出口とした本体２Ａと、この本体２Ａの上面に開閉自在に配設した蓋体２Ｂとから構成してある。
【００２４】
案内筒体３は、図１、２及び５に示すように、飼料ホッパー２の下端部にその上端部をボルト等によって固定し、飼料ホッパー２の下方に連結してある。
案内筒体３は、図１及び５に示すように、上端部を逆円錐状、それより下方を円筒状に成形してあり、この円筒状部の内壁面に対して所定間隙離隔して円環状の内側壁部を形成し、円筒状部と内側壁部と上下仕切壁部とによって画成された空間部を給水タンク１６としてある。
給水タンク１６の外壁面には、周方向に所定間隔で給水器装着部１７，１７，・・・を突設してあり、給水器装着部１７にはネジ孔１７ａを形成してある。又、給水タンク１６の外壁面の適宜位置に給水パイプ１１の下端部を連結してある。
【００２５】
給水器１０は、図６に示すように、揺動自在とした作用杆１０ａを有すると共に、基端部にネジ部１０ｂを刻設してあり、図２に示すように、前記給水器装着部１７のネジ孔１７ａに給水器１０のネジ部１０ｂを螺合させれば、給水器１０を案内筒体３に装着することができる。
よって、仔豚が給水器１０の作用杆１０ａを口に銜えて揺動すれば、給水タンク１６に貯留された水は給水器１０の排出口から流出されるようになっている。
【００２６】
吊下部材４は、図２及び３に示すように、上端部をＬ型に折曲し、ナット１８を固着した棒状の上側部材４Ａと、下端部を鉤状に形成した棒状の下側部材４Ｂと、挿通孔を形成した連結部材４Ｃとから構成される。
そして、連結部材４Ｃの挿通孔に上側部材４Ａの下端部と下側部材４Ｂの上端部とを挿通させ、ボルト１９によって上側部材４Ａ及び下側部材４Ｂを押圧すれば、上側部材４Ａと下側部材４Ｂとを連結できるようになっている。
【００２７】
吊下部材５は、図２及び３に示すように、上端部を鉤状に形成すると共に、下端部にはネジ部５ａを刻設してある。
そして、吊下部材４の下側部材４Ｂの鉤状部に吊下部材５の鉤状部を掛止することによって、吊下部材４と吊下部材５とを連結するようになっている。
【００２８】
作動部材６は、図２及び３に示すように、上端を開口とし、下方に拡開させた円錐台状を呈し、下端部内側に架設部材２０を架け渡し、この架設部材２０の中央部にネジ孔２０ａを穿設してある。
そして、吊下部材５のネジ部５ａを架設部材２０のネジ孔２０ａに螺合させ、さらに、ネジ部５ａにナットを螺合させて締め付けて、吊下部材５の下端部に作動部材６を固定してある。
【００２９】
ブリッジ防止部材７は、図２及び３に示すように、逆円錐台状を呈し、上面部及び下面部に挿通孔７ａ，７ｂを穿設してある。
そして、吊下部材５の中間部をブリッジ防止部材７の挿通孔７ａ，７ｂに挿通させ、挿通孔７ａ，７ｂの周囲を溶接等して、吊下部材５の中間部にブリッジ防止部材７を固定してある。
【００３０】
支持部材８は、図２乃至４に示すように、板材を折曲して断面コ型に成形したものであり、その両端部を飼料ホッパー２の本体２Ａの上端部内面にボルト等により締結し、架設してある。
そして、前記吊下部材４，５は、下述する餌量調整機構９を介して支持部材８に連結され、飼料ホッパー２内の中央部に吊下されている。
【００３１】
餌量調整機構９は、図２乃至４に示すように、前記支持部材８の上面に形成した挿通孔８ａ、回転防止用長孔８ｂ，８ｂと、吊下部材４の上端部に固着したナット１８と、頭部に円管部材２１を固着したボルト２２と、基端部をＬ型に折曲し、先端部を適宜角度折曲したハンドル２３と、から構成される。
そして、ボルト２２を挿通孔８ａに挿通させ、ナット１８にボルト２２のネジ部２２ａを螺合させ、円管部材２１の貫通孔２１ａにハンドル２３の基端部を回動自在に嵌挿してある。
【００３２】
底皿１２は、図１及び２に示すように、中央部を円錐台状に隆起させてあり、飼料ａが中央部から周辺部に流動するようになっている。
【００３３】
仕切板１３は、飼料ホッパー２の本体２Ａの外壁面、案内筒体３の外壁面、底皿１２の内周面にボルト等によって締結、固定され、底皿１２の周方向に所定間隔をおいて配設されている。
【００３４】
本発明の家畜用給餌器１では、仔豚が鼻又は口で作動部材６を押圧して、吊下部材４，５及びブリッジ防止部材７を揺動することによって、飼料ホッパー２内の飼料ａが攪拌され、飼料ホッパー２内にブリッジが発生しなくなるから、下端の排出口から底皿１２内へと飼料aを円滑に落下、供給することができる。
【００３５】
又、吊下部材４の上側部材４Ａ、下側部材４Ｂを上下方向に適宜移動させると共に、餌量調整機構９によって吊下部材４，５を適宜上下移動させることによって、飼料ホッパー２下端の排出口の開口面積を調整できるから、底皿１２内へ落下、供給する飼料aの量を適宜調整することができる。
【００３６】
支持板１５は、図７に示すように、垂直板部２４、水平板部２５及び傾斜板部２６から成り、垂直板部２４には挿通孔２４ａ，２４ａ，・・・を、水平板部２５には挿通孔２５ａを、傾斜板部２６に接続する取付片部２７には挿通孔２７ａ，２７ａ，・・・を穿設してある。
そして、図８に示すように、垂直板部２４を飼料ホッパー２の本体２Ａの上半部に，ボルトで締結して固定し、取付片部２７，２７を隣接する仕切板１３，１３の側面部にボルトで締結して固定することによって、支持板１５を設定してある。
【００３７】
水圧制御装置１４は、図７及び８に示すように、支持板１５の水平板部２５に載置し、垂直板部２４にボルト等によって固定して、支持板１５に設置してある。
水圧制御装置１４は、図８及び９に示すように、装置本体２８と、上側流量調整バルブ２９と、下側流量調整バルブ３０と、から構成してある。
【００３８】
上側流量調整バルブ２９は、筐体３１内に弁体３２を配置してあり、この弁体３２を作用杆３３によって回動操作させ、バルブの開度を調節することによって、水の流量を適宜調整できるようになっている。
下側流量調整バルブ３０も、筐体３４内に弁体３５を配置してあり、この弁体３５を作用杆３６によって回動作動させ、バルブの開度を調節することによって、水の流量を適宜調整できるようになっている。
本実施例においては、上側流量調整バルブ２９、下側流量調整バルブ３０共に、ボールバルブを採用しているが、グローブバルブ（玉形弁）等の適宜流量調整バルブを採用してもよい。
【００３９】
装置本体２８は、容器３８と蓋体３９とから成る筐体３７と、容器３８内に配置されるフロート４０と、から構成してある。
【００４０】
容器３８は、底面部の中央部に突出部４１を形成してあり、その突出部４１には流出孔４２を形成してある。突出部４１は、前記支持板１５の水平板部２５に形成した挿通孔２５ａを挿通させて下方に突出させてあり、その下端部に連結部材４３を介して下側流量調整バルブ３０の上端部を連結してある。
そして、下側流量調整バルブ３０の下端部には接続部材４４を連結してあり、この接続部材４４に前記給水パイプ１１の上端部を接続できるようになっている。
【００４１】
蓋体３９は、一端部に突出部４５を形成してあり、その突出部４５には流入孔４６を形成してある。突出部４５の上端部には上側流量調整バルブ２９の下端部を連結し、上側流量調整バルブ２９の上端部には、畜舎内に配設した多数の家畜用給餌器１，１，・・・に水を供給する配水パイプ４７の分岐部を接続できるようになっている。
【００４２】
又、蓋体３９は、一端部の内壁面から下方にフロート支持部４８を突設してあり、フロート支持部４８に支持ピン４９を配置してある。
さらに、蓋体３９の中央部には、透明なプラスチック板を嵌入した監視窓５０を形成してあり、この監視窓５０から容器３８内を視認できるようになっている。
【００４３】
フロート４０は、プラスチック材料から成る軽い中空成形体であって、本体部５１と、支持部５２と、から構成してあり、支持部５２の一端部にはピン嵌挿孔５２ａを穿設してある。
このピン嵌挿孔５２ａに前記フロート支持部４８に配置された支持ピン４９を挿通させることによって、フロート４０は支持ピン４９を中心として揺動自在となっている。
【００４４】
ここで、フロート４０の支持部５２の上面には、耐水性の高いゴム材料から成るパッキン５３を固定してある。
又、前記突出部４５の流入孔４６内には、貫通孔５４ａを形成した係止部材５４の上半部を嵌挿してあり、その下半部は流入孔４６より下方に位置させてある。
そして、容器３８内の水ｗが所定水位に到達すると、フロート４０の支持部５２に固定したパッキン５３が係止部材５４の貫通孔５４ａを閉鎖し、流入孔４６より容器３８内に水を流入させないようになっている。
【００４５】
水圧制御装置１４は、上記のような構成であるから、配水パイプ４７の分岐部から上側流量調整バルブ２９、蓋体３９の流入孔４６を流通してきた水は、係止部材５４の貫通孔５４ａから容器３８内に流入する。
容器３８内に貯留している水は、容器３８の流出孔４２、下側流量調整バルブ３０、給水パイプ１１を流通して給水タンク１６内に流入し、各給水器１０，１０，・・・にまで到達する。
【００４６】
仔豚が飲水しない時には、給水器１０，１０，・・・から水は流出しないから、容器３８内に水が徐々に貯留されていき、貯留された水の浮圧によってフロート４０の本体部５１が上方に移動する。
そして、フロート４０の支持部５２に固定したパッキン５３が係止部材５４の下端に当接し、貫通孔５４ａを閉塞すると、容器３８内には水が流入しなくなる。
【００４７】
仔豚が給水器１０を口で銜えて、作用杆１０ａを揺動すると、給水器１０の排出口から水が流出するが、給水器１０における水圧は、水圧制御装置１４の容器３８から給水器１０までの高低差となり、配水パイプ４７内の水圧よりも相当程度低減されるから、給水器１０の排出口から勢い良く水が流出して、底皿１２の外部に水が飛び散って、周囲を不衛生にすることはない。
【００４８】
又、給水器１０における水圧は、水圧制御装置１４の容器３８から給水器１０までの高低差となり、常時安定した水圧を維持することができるから、無駄に水を流出することもなくなり、仔豚の嗜好に合わない状態で飼料ａが底皿１２内に残存し、腐敗等して、無駄に消費されることもない。
【００４９】
又、各家畜用給餌器１の配設位置によって個別的に、畜舎全体の使用水量が変動することによって経時的に、各給水パイプ１１内の水圧が変動することもなく、各給水器１０において常時安定した水圧を維持することができるから、底皿１２内において飼料ａを水ｗと適度に混合させた液体混合飼料とすることができ、仔豚の嗜好に合わせた状態にできるため、仔豚を効率的に生育させることができる。
【００５０】
そして、底皿１２内において飼料ａを水ｗと適度に混合させた液体混合飼料とし、飼料ａと水ｗとを同時に摂取することができるため、底皿１２内に堆積した飼料ａが粉粒状となって舞い上がることもなく、仔豚に呼吸器系疾患を発症させることもない。
【００５１】
又、給水器１０において水圧が低減されるから、給水器１０内を貫通する通水孔の口径を大きくすることができ、通水孔に砂、ゴミ等が付着して目詰まりが発生し、給水器１０の排出口から水が流出しなくなる不具合も発生しなくなる。
【００５２】
水圧制御装置１４は、又、装置本体２８の上方部又は下方部に流量調整バルブ２９，３０を付設したから、流量調整バルブ２９，３０の作用杆３３，３６を回動操作させることによって、バルブの開度を調節し、給水器１０に供給される水の流量を適宜調整することができるから、畜舎全体の使用水量に対応させて、又、仔豚の生育状況に対応させて、水の供給量を適宜変更することができる。
【００５３】
尚、フロート４０を使用した上記水圧制御装置１４に代えて、ダイヤフラム、スプリング等を使用した機械的な減圧弁を水圧制御装置として採用することもできる。
【００５４】
しかし、このような機械的な減圧弁は、畜舎内という劣悪な環境下では故障が発生し易く、錆等も発生して耐久性に問題があるため、保守、管理が大変であり、又、構成部品が比較的高価で、部品点数も多いため、装置自体も高価になる。
一方、フロート４０を使用した水圧制御装置１４は、故障が発生し難く、錆等も発生し難く、保守、管理も容易であり、構成部品が安価で、部品点数も少ないため、装置自体も安価になるので、より好ましい。
【図面の簡単な説明】
【００５５】
【図１】本発明の家畜用給餌器の外観斜視図である。
【図２】本発明の家畜用給餌器の縦断面図である。
【図３】吊下部材及び餌量調整機構の縦断面図である。
【図４】餌量調整機構の斜視図である。
【図５】案内筒体の縦断面図である。
【図６】給水器の外観斜視図である。
【図７】水圧制御装置及びその支持板の外観斜視図である。
【図８】水圧制御装置の装着部近傍における外観斜視図である。
【図９】水圧制御装置の縦断面図である。
【図１０】従来の家畜用給餌器の外観斜視図である。
【符号の説明】
【００５６】
１  家畜用給餌器
２  飼料ホッパー
１０  給水器
１１  給水パイプ
１２  底皿
１４  水圧制御装置
２８  装置本体
２９  上側流量調整バルブ
３０  下側流量調整バルブ
３７  筐体
４０  フロート
４７  配水パイプ
ａ  飼料
ｗ  水
【図１】
2008029306.tif 000003
【図２】
2008029306.tif 000004
【図３】
2008029306.tif 000005
【図４】
2008029306.tif 000006
【図５】
2008029306.tif 000007
【図６】
2008029306.tif 000008
【図７】
2008029306.tif 000009
【図８】
2008029306.tif 000010
【図９】
2008029306.tif 000011
【図１０】
2008029306.tif 000012